(57)【要約】【課題】自動車の窓部を覆うエアバッグを所望の特性で展開する。【解決手段】エアバッグ１を折り畳む際に、案内折畳部６５と、ロール折畳部６６とを設ける。案内折畳部６５は、前端部から後端部まで連通する通気位置Ｂを設け、この通気位置Ｂから両側一対の腕部６８を延ばした形状とする。ロール折畳部６６は、通気位置Ｂに連通する内ロール部６６ａと、この内ロール部６６ａに連通する外ロール部６６ｂとを設ける。エアバッグ１にガスを導入すると、まず、案内折畳部６５が展開し、ヘッドライニング１７を押動してエアバッグ１の突出口を確保するとともに、ロール折畳部６６を所定の位置から所定の方向に押し出す。次いで、内ロール部６６ａが窓部に沿って転がるように展開する。続いて、外ロール部６６ｂが、外向きの力を生じながら窓部に沿って展開する。【選択図】        図１
2004175247.tif 000002
【特許請求の範囲】
【請求項１】
折り畳んで収納され、ガスが導入されて所定面に沿って膨張展開するエアバッグであって、
ガスが導入されるガス導入口と、このガス導入口に連通する膨張部とを具備し、
このガス導入口に連通する前記膨張部を含んで折り畳まれた案内折畳部と、
この案内折畳部に位置する前記膨張部に連通する前記膨張部を含んで折り畳まれたロール折畳部とを備え、
前記案内折畳部は、前記ロール折畳部の長手方向に沿った両側を囲んで配置され、
前記ロール折畳部は、先端部から前記所定面側に巻き付けるロール状に折り畳まれた外ロール部と、この外ロール部と案内折畳部との間に位置し、前記外ロール部側から前記所定面の反対側に巻き付けるロール状に折り畳まれた内ロール部とを備えた
ことを特徴とするエアバッグ。
【請求項２】
案内折畳部は、ガスが導入される一端部から他端部まで連通する通気位置を有し、この通気位置に長手方向に沿って連通し前記通気位置から放射状に延びる複数の腕部を設けて折り畳まれ、
ロール折畳部は、前記通気位置に長手方向に沿って連通して折り畳まれた
ことを特徴とする請求項１記載のエアバッグ。
【請求項３】
案内折畳部は、ガス導入口に連通する膨張部を含んで折り畳まれ、ロール折畳部の一側に配置された第１の折畳部と、この第１の折畳部に位置する前記膨張部に連通する前記膨張部を含んで折り畳まれ、前記ロール折畳部の他側に配置された第２の折畳部とを備え、
前記ロール折畳部は、前記第２の折畳部に連通して折り畳まれた
ことを特徴とする請求項１記載のエアバッグ。
【請求項４】
膨張部は、第１の膨張部と、第２の膨張部と、これら第１及び第２の膨張部を連通する連通部とを備えた
ことを特徴とする請求項１ないし３いずれか一記載のエアバッグ。
【請求項５】
折り畳んだ状態で車両のルーフサイド部に配置され、所定面は、車室の側面である
ことを特徴とする請求項１ないし４いずれか一記載のエアバッグ。
【発明の詳細な説明】
【０００１】
【発明の属する技術分野】
本発明は、例えば、自動車の衝突時に乗員を保護するエアバッグに関する。
【０００２】
【従来の技術】
従来、ガスを導入して膨張するエアバッグについて、自動車のルーフサイドレールに沿って細長く折り畳んで配置され、側面衝突などの衝撃を受けた際に、自動車の側方の窓部に沿って展開するいわゆるカーテンエアバッグが知られている。そして、このようなカーテンエアバッグは、円滑迅速に展開して乗員を保護する折り畳み方が求められ、例えば、蛇腹状に折り畳む構成が知られている。しかしながら、エアバッグの全体を蛇腹状に折り畳む作業は容易ではなく、製造コストの低減が容易ではないとともに、展開時においては、エアバッグがガスが供給される上端側から順次膨張していくため、下端部である先端部は振られるように移動しやすく、安定した挙動を得ることが容易でなく、所望の方向に円滑に展開させる管理が容易でない問題を有している。
【０００３】
この点、例えば、ガスが導入される上側部を蛇腹状に折り畳んだ蛇腹折り部とするともに、下側部をロール状に折り畳んだロール折り部とし、これら蛇腹折り部とロール折り部とを上下に重ねた構成が知られている（例えば、特許文献１参照。）。しかしながらこの構成においても、蛇腹状に折り畳んだ蛇腹折り部について、所望の方向に円滑に展開させる管理が容易でなく、この蛇腹折り部に重ねて配置されたロール折り部についても、所望の方向に円滑に展開させる管理が容易でない問題を有している。
【０００４】
【特許文献１】
特許第３１０７０７２号公報  （第１頁、図１）
【０００５】
【発明が解決しようとする課題】
上記のようなカーテンエアバッグは、自動車のルーフサイドレールに沿って細長く折り畳んで配置されるものであり、安定した挙動を容易に得ることができるとともに、窓部などの所定面に沿って容易に展開させやすい構成が求められている。
【０００６】
本発明は、このような点に鑑みなされたもので、所望の方向に円滑に展開するエアバッグを提供することを目的とする。
【０００７】
【課題を解決するための手段】
請求項１記載のエアバッグは、折り畳んで収納され、ガスが導入されて所定面に沿って膨張展開するエアバッグであって、ガスが導入されるガス導入口と、このガス導入口に連通する膨張部とを具備し、このガス導入口に連通する前記膨張部を含んで折り畳まれた案内折畳部と、この案内折畳部に位置する前記膨張部に連通する前記膨張部を含んで折り畳まれたロール折畳部とを備え、前記案内折畳部は、前記ロール折畳部の長手方向に沿った両側を囲んで配置され、前記ロール折畳部は、先端部から前記所定面側に巻き付けるロール状に折り畳まれた外ロール部と、この外ロール部と案内折畳部との間に位置し、前記外ロール部側から前記所定面の反対側に巻き付けるロール状に折り畳まれた内ロール部とを備えたものである。
【０００８】
そして、この構成では、ガス導入口からエアバッグにガスが導入されると、膨張部が膨張し、この膨張部の膨張により、案内折畳部とロール折畳部とが展開する。案内折畳部に案内され、ロール折畳部が所望の位置から所望の方向に安定して円滑に展開する。さらに、ロール折畳部は、案内折畳部側から内ロール部と外ロール部とを設けたため、展開の前半では、所定面に沿って容易に円滑迅速に展開し、展開の後半では、確実に所定面に沿って展開する。このように３段階の展開で、所望の展開特性が容易に実現される。
【０００９】
請求項２記載のエアバッグは、請求項１記載のエアバッグにおいて、案内折畳部は、ガスが導入される一端部から他端部まで連通する通気位置を有し、この通気位置に長手方向に沿って連通し前記通気位置から放射状に延びる複数の腕部を設けて折り畳まれ、ロール折畳部は、前記通気位置に長手方向に沿って連通して折り畳まれたものである。
【００１０】
そして、この構成では、エアバッグにガスが導入されると、このガスは、案内折畳部の通気位置に沿って一端部から他端部まで供給され、さらに、この通気位置から、ロール折畳部に供給され、エアバッグの全体が膨張展開する。案内折畳部は、通気位置に長手方向に沿って腕部を設けたため、折り畳んだ状態でも通気位置が確保される。そこで、一端部から他端部までの長手寸法の大きい長尺のエアバッグであっても、長手方向の前後での展開の時間差が小さく円滑に展開する。
【００１１】
請求項３記載のエアバッグは、請求項１記載のエアバッグにおいて、案内折畳部は、ガス導入口に連通する膨張部を含んで折り畳まれ、ロール折畳部の一側に配置された第１の折畳部と、この第１の折畳部に位置する前記膨張部に連通する前記膨張部を含んで折り畳まれ、前記ロール折畳部の他側に配置された第２の折畳部とを備え、前記ロール折畳部は、前記第２の折畳部に連通して折り畳まれたものである。
【００１２】
そして、この構成では、ガス導入口からエアバッグにガスが導入されると、第１の折畳部、第２の折畳部、ロール折畳部の順に展開し、順次展開する第１の折畳部及び第２の折畳部により案内して、ロール折畳部が所望の方向に展開する。
【００１３】
請求項４記載のエアバッグは、請求項１ないし３いずれか一記載のエアバッグにおいて、膨張部は、第１の膨張部と、第２の膨張部と、これら第１及び第２の膨張部を連通する連通部とを備えたものである。
【００１４】
そして、この構成では、長手寸法が大きい構成についても、所定面に沿った複数の部分をエアバッグで安定して迅速に覆うことが可能になる。
【００１５】
請求項５記載のエアバッグは、請求項１ないし４いずれか一記載のエアバッグにおいて、折り畳んだ状態で車両のルーフサイド部に配置され、所定面は、車室の側面であるものである。
【００１６】
そして、この構成では、エアバッグを車室の側面と車室の乗員との間に安定して円滑に展開することが可能になる。
【００１７】
【発明の実施の形態】
以下、本発明のエアバッグの一実施の形態を図面を参照して説明する。
【００１８】
図１ないし図４において、１はエアバッグで、このエアバッグ１を備えたエアバッグ装置２は、車両としての自動車３の車室４のルーフサイド部５に配置されている。そして、このエアバッグ１は、カーテンエアバッグ、側突用エアバッグ、サイドエアバッグ、インフレータブルカーテン、あるいは頭部保護用エアバッグなどとも呼ばれるもので、側面衝突などの衝撃を受けた際に、乗員の側方に面状に展開し、被保護物である乗員Ａを保護するようになっている。
【００１９】
また、この自動車３は、車室４内に乗員Ａが着座可能な前席及び後席を備え、これら前席及び後席に対応して、それぞれ上部に所定面を構成する開口可能な窓部（サイドウィンドウ）６を備えたドア７が設けられている。また、車室４の両側には、前側から順に、Ａピラー、Ｂピラー１２、Ｃピラーが設けられ、これらピラー１２の上側に、ルーフサイドレール（サイドルーフレール）１４を介して天井パネル１５が支持されている。さらに、各ピラー１２の車室４側には、ピラーガーニッシュ１６が取り付けられ、天井パネル１５からルーフサイドレール１４にかかる部分の車室４側には、軟質なすなわち変形可能な天井板であるヘッドライニング１７が取り付けられているとともに、各ドア７の上部が当接する位置には、これらドア７が密着するパッキング体が取り付けられている。また、各座席には、シートベルトが設けられ、ピラー１２には、これらシートベルトを支持する支持部が設けられている。また、図３及び図４には、座席のヘッドレスト２０が示されている。
【００２０】
そして、エアバッグ装置２は、前後の座席の乗員を保護可能な、いわゆる前後席用エアバッグであり、ルーフサイドレール１４とヘッドライニング１７となどに囲まれたルーフサイド部５に細長く折り畳んで収納されたエアバッグ１と、後席の乗員の車体上方に収納されこのエアバッグ１にガスを供給するインフレータと、折り畳んだエアバッグ本体３１を覆って形状を保持する図示しない筒状の被覆部材などを備え、ブラケット２３を介してルーフサイドレール１４に取り付けられている。
【００２１】
そして、エアバッグ１は、図２などに示すように、複数の基布を組み合わせて扁平な袋状に形成されたエアバッグ本体３１を備えている。また、このエアバッグ本体３１の前端部には、図示しない紐状の基布であるテンションストラップが取り付けられている。また、このエアバッグ本体３１の内側には、必要に応じて、ガスを案内するインナパイプや隔壁体が配置される。
【００２２】
そして、エアバッグ本体３１は、車体側である外側に配置される外側基布３５と、車室４側に配置される内側基布３６とを重ね、接合部である所定の縫製部３７で縫い合わせ、ガスが流入して膨張展開する袋状の膨張部３８と、車体の後方であるエアバッグ本体３１の後側上部に位置して膨張部３８を外部に連通する一端部としてのガス導入口３９と、ガスが流入せず膨張展開しないシート状の非膨張部４１とが設けられている。さらに、膨張部３８は、中空部である気室であり、エアバッグ本体３１の前後方向である長手方向の中央部の上部に位置する連通部４３と、この連通部４３の前側に連通する第１の膨張部である前席保護部（前席保護エリア）としての前席膨張室４４と、この連通部４３の後側に連通する第２の膨張部である後席保護部（後席保護エリア）としての後席膨張室４５とを備えている。
【００２３】
また、縫製部３７は、膨張部３８の外周を縫製する外周連結部である外周縫製部５１と、各膨張室４４，４５の展開時の幅寸法を規制する規制部５２とを備えている。そして、この規制部５２は、膨張部３８の１カ所あるいは複数カ所に位置し、外周縫製部５１と一体あるいは別体に形成されている。なお、本実施の形態では、規制部５２は、前席膨張室４４に、外周縫製部５１に連続する第１の規制部５４、外周縫製部５１から独立した第２の規制部５５、外周縫製部５１に連続する第３の規制部５６が形成され、後席膨張室４５に、外周縫製部５１に連続する第４及び第５の規制部５７，５８が形成されている。さらに、各規制部５４〜５８の端末部には、これら端末部を保護する保護部５９が形成されている。
【００２４】
また、エアバッグ本体３１の上縁部には、ブラケット２３への取り付けのための取付部である取付片６２が所定間隔で複数形成され、各取付片６２には、それぞれビスなどの取付手段が取り付けられる通孔６２ａが形成されている。
【００２５】
次に、このエアバッグ１の折畳状態を説明する。
【００２６】
このエアバッグ１は、図１に示すように、主として、導管部である案内折畳部６５と、集合部であるロール折畳部６６とを有する形状に折り畳まれている。
【００２７】
そして、案内折畳部６５は、いわばパラソル状に折り畳まれ、連通部４３を含み、膨張部３８の後端に位置するガス導入口３９から前端に位置する他端部としての前端部６７まで、すなわち、エアバッグ１のほぼ全長にわたり直線状に連通する通気位置Ｂを備え、この通気位置Ｂを略中心とした筒状に形成されている。そして、この案内折畳部６５は、上下から平らに押しつぶすように折り畳まれ、通気位置Ｂから放射状に延びる両側一対の腕部６８が形成されている。さらに、これら腕部６８は、案内折畳部６５の下側に位置するロール折畳部６６の両側部を囲むように略コの字状に折られている。
【００２８】
一方、ロール折畳部６６は、主として前席膨張室４４及び後席膨張室４５の部分であり、案内折畳部６５の通気位置Ｂの下側に直接的に連通し、下端部から所定の方向に巻回され、すなわちロール状に折り畳まれている。そして、ここで、所定の方向とは、上下方向の中間部で巻回の方向が反転し、案内折畳部６５に連通する上側部は、ロール折畳部６６が巻き戻される際に窓部６に沿う内ロール方向であり、例えば前方から見て左側の座席は、下側から左巻きされた内ロール部６６ａとされ、この内ロール部６６ａに連通する下側部は、内ロールとは反対にロール折畳部６６が巻き戻される際に窓部６をこするように回転する外ロール方向であり、例えば前方から見て左側の座席は、下側から右巻きされた外ロール部６６ｂとされている。すなわち、外ロール部６６ｂの外周に、内ロール部６６ａが巻き付けられた状態になっている。
【００２９】
次に、このエアバッグ１の展開動作を説明する。
【００３０】
すなわち、自動車３の側面衝突などの際には、乗員Ａは外方（図３における矢印Ｃ方向に）に移動し、また、衝突物の影響で、ドア７やルーフサイドレール１４が内方（図３における矢印Ｄ方向に）に移動し、車体と乗員Ａとの間隔が小さくなっていくが、このエアバッグ装置２は、側面衝突などの衝撃を受けると、図示しない制御装置によりインフレータが作動し、このインフレータから噴射されるガスがガス導入口３９からエアバッグ１に導入され、案内折畳部６５の通気位置Ｂを前端部６７に進みながら、ロール折畳部６６の各膨張室４４，４５にも供給され、エアバッグ１が膨張展開し、ヘッドライニング１７などを変形させながらルーフサイド部５から下方に迅速に突出し、カーテン状に前後の窓部６を覆い、前席及び後席の各乗員の頭部、胸部などを保護するように展開する。
【００３１】
さらに、このエアバッグ１の展開を詳細に説明すると、ロール状に折り畳まれたロール折畳部６６は、単に押しつぶすように折り畳まれた案内折畳部６５よりも展開時のガスの流れの抵抗が大きいため、インフレータから供給されるガスは、まず、図１に示す状態から、図３に示すように、案内折畳部６５を膨張させる。この時、案内折畳部６５は、上下に押しつぶすように折り畳まれているため、案内折畳部６５の膨張により、ヘッドライニング１７が押動されてエアバッグ１の突出口が確保されるとともに、この案内折畳部６５が車体面を押動する反力で、ロール折畳部６６が車室４側に移動する。さらに、案内折畳部６５が膨張すると、膨張する案内折畳部６５によりロール折畳部６６が下方に押し出されるとともに、案内折畳部６５の腕部６８により案内され、下方に向かって安定して押し出される。
【００３２】
この後、案内折畳部６５からまずロール折畳部６６の内ロール部６６ａにガスが供給され、ロール折畳部６６は、各窓部６あるいは各ピラー１２に沿って転がるように円滑かつ迅速に下方に展開する。
【００３３】
次いで、内ロール部６６ａの展開が完了し、外ロール部６６ｂが表れ、この外ロール部６６ｂにガスが供給されると、図４に示すように、ロール折畳部６６は、内ロール部６６ａの展開時とは反対方向に、展開の先端部分は常に外向きの力を発生させながら、窓部６をこするように回転しながら展開し、乗員Ａの頭部を保護する。
【００３４】
このように、本実施の形態によれば、ルーフサイド部５に収納され、窓部６の内側面に沿って下方に展開し、乗員Ａの頭部などを保護するエアバッグ１において、展開の開始時と、前半（初期）と後半（後期）との各段階に対応してそれぞれ、いわば３段階に異なる方法及び方向に折り畳んだため、最適な展開挙動を実現し、所望の展開特性を容易に実現することができる。
【００３５】
すなわち、展開開始時には、案内折畳部６５が迅速に展開し、この案内折畳部６５の展開力により確実にヘッドライニング１７を押し開き、エアバッグ１の突出口を形成し、エアバッグ１を安定して下方に展開できる。また、案内折畳部６５は、ロール折畳部６６の両側を囲むように配置されているため、ロール折畳部６６の展開開始位置及び展開方向を容易に管理することができる。
【００３６】
そして、エアバッグ１が下降する展開の前半では、内ロール部６６ａが展開することにより、ピラー１２などの部材を円滑に乗り越えるとともに、ピラー１２とヘッドレスト２０との間などの狭い空間で、窓部６に沿って円滑に展開できる。
【００３７】
さらに、エアバッグ１が下降し、乗員Ａの頭部の側方を通過する展開の後半では、外ロール部６６ｂがほどけるように展開する挙動により、外側に向かう力が加わり、窓部６など所定面に沿って展開し、さらに、乗員Ａの頭部を押しのけるように展開し、乗員Ａの頭部への干渉を最低限にすることができる。そこで、例えば、自動車３が傾き、あるいは横転事故などのいわゆるロールオーバー状態の際に、乗員Ａの頭部が窓部６など所定面に近接している場合でも、外ロール部６６ｂの挙動により、乗員Ａの頭部を車室４の内側に押し戻し、エアバッグ１は乗員Ａと窓部６など所定面との間に進入するように好ましい特性で展開し、すなわち、エアバッグ１を乗員Ａと窓部６など所定面との間に容易に安定的に展開でき、乗員Ａを保護することができる。
【００３８】
また、案内折畳部６５は、折りを最小限とし、展開抵抗の少ない折り方、すなわち、長手方向の全長に連通する通気位置Ｂを設けるとともに、この通気位置Ｂの確保が容易ないわばパラソル折りとしたため、長尺のエアバッグ１の全長にわたって効率良く迅速にガスを供給し、さらにこの案内折畳部６５から乗員保護エリアであるロール折畳部６６にガスを供給し、長手方向の前後で時間差なく迅速かつ円滑にエアバッグ１を展開できる。
【００３９】
また、案内折畳部６５は、エアバッグ１の展開軌跡線に対し、ほぼ左右すなわち表裏対称であり、ロール状のロール折畳部６６を所定の方向である下方に安定して展開させることができる。
【００４０】
また、エアバッグ１は、ロール状のロール折畳部６６のみとすると、ガスが流れる際の抵抗が大きくなり、エアバッグ１の基布に加わる負荷が大きくなるが、ロール状のロール折畳部６６に案内折畳部６５を組み合わせたため、エアバッグ１の基布に加わる負荷を抑制できる。
【００４１】
さらに、基布の耐熱温度が向上し、また、インフレータから発生するガスの温度が下げられた際には、基布に熱による悪影響が及ばないので、エアバッグ本体３１の内側に別体のインナパイプを配置する必要がなく、部品点数を削減して、製造コストを低減できるとともに、エアバッグ１を小さく折り畳むことが可能になる。
【００４２】
また、エアバッグ１の折畳作業は、全面を蛇腹状に折り畳む構成よりも簡略で、作業工程を容易にして製造コストを低減できる。
【００４３】
なお、案内折畳部６５の折り畳み形状は、上記の実施の形態に限られず、他の形状を採ることができる。
【００４４】
例えば、案内折畳部６５の腕部６８は、２方向に限らず、３方向以上に放射状に設けることもできる。
【００４５】
また、案内折畳部６５は、ガス導入口３９に連通する通気位置Ｂから放射状に設ける他、ガス導入口３９から順次連通するように設けることもできる。
【００４６】
例えば、図５に示すように、ガス導入口３９に連通する膨張部３８を含んで折り畳まれ、ロール折畳部６６の一側例えば車室４の外側に配置された第１の折畳部１０１と、この第１の折畳部１０１に位置する膨張部３８に連通する膨張部３８を含んで折り畳まれ、ロール折畳部６６の他側例えば車室４の内側に配置された第２の折畳部１０２とを備え、ロール折畳部６６は、これら第１の折畳部１０１と第２の折畳部１０２との間に配置するとともに、第２の折畳部１０２に連通して折り畳むことができる。
【００４７】
例えば、第１の折畳部１０１は、図５における基端部のＰ１からＰ２の領域であり、膨張しない部分を含み、ガス導入口３９に直接に連通して腕状に延設され、上下から平らに押しつぶすように板状に折り畳まれている。また、第２の折畳部１０２は、図５における基端部のＰ２からＰ３の領域であり、腕状に延設され、上下から平らに押しつぶすように板状に折り畳まれている。
【００４８】
そして、この構成では、ガス導入口３９からエアバッグ１にガスが導入されると、膨張部３８が膨張し、この膨張部３８の膨張により、第１の折畳部１０１、第２の折畳部１０２、ロール折畳部６６の順に展開し、順次展開する第１の折畳部１０１及び第２の折畳部１０２により案内して、ロール折畳部６６を所望の位置から所望の方向に円滑に展開できる。
【００４９】
さらに、ロール折畳部６６に対し、第１の折畳部１０１は所定面である窓部６側に位置し、第２の折畳部は窓部６の反対側に位置するため、先に展開する第１の折畳部１０１が、ロール折畳部６６を窓部６から若干離間した位置に保持し、続いて展開する第２の折畳部１０２が、ヘッドライニング１７などエアバッグ１を覆う部材などロール折畳部６６が展開する際に干渉する部材を排除し、ロール折畳部６６を所望の位置から所望の方向に安定して円滑に展開させることができる。
【００５０】
さらに、このように案内折畳部６５が展開し、ロール折畳部６６を下方に押し出すように案内した後は、図１ないし図４に示す第１の実施の形態と同様に、ロール折畳部６６が展開する。すなわち、まず、図６に示すように、ロール折畳部６６の内ロール部６６ａにガスが供給され、ロール折畳部６６は、各窓部６あるいは各ピラー１２に沿って転がるように円滑かつ迅速に下方に展開する。次いで、内ロール部６６ａの展開が完了し、外ロール部６６ｂが表れ、この外ロール部６６ｂにガスが供給されると、図７に示すように、ロール折畳部６６は、内ロール部６６ａの展開時とは反対方向に、展開の先端部分は常に外向きの力を発生させながら、窓部６をこするように回転しながら展開し、乗員Ａの頭部を保護することができる。
【００５１】
また、上記の実施の形態では、エアバッグ１のエアバッグ本体３１は、外側基布３５と内側基布３６とを重ねて構成したが、１枚の基布を折り返して構成することもでき、また、３枚以上の基布を接合して形成することもでき、また、耐熱性の向上や強度の向上のため、適宜の補強布などを接合することもできる。
【００５２】
また、本発明のエアバッグは、上側から下側に向かって展開して自動車の側方の窓部を覆う構成に限られず、所定面に沿って面状に膨張展開する必要がある適宜のエアバッグ装置に適用することができる。
【００５３】
さらに、各縫製部３７については、シール材などを塗布して、気密性を向上することもできる。
【００５４】
また、本実施の形態のように、前席膨張室３３と後席膨張室３４との間の連通部３２にガスを導入することにより、前後方向の長手寸法の大きいエアバッグ１についても、長手方向における展開バランスの調整が容易になり、前後の窓部６をエアバッグ１で安定して迅速に覆うことができる。
【００５５】
【発明の効果】
請求項１記載のエアバッグによれば、ガス導入口からエアバッグにガスが導入されると、膨張部が膨張し、この膨張部の膨張により、案内折畳部とロール折畳部とが展開する。案内折畳部の案内により、ロール折畳部を所望の位置から所望の方向に安定して円滑に展開できる。さらに、ロール折畳部は、案内折畳部側から内ロール部と外ロール部とを設けたため、展開の前半では、所定面に沿って容易に円滑迅速に展開させ、展開の後半では、確実に所定面に沿って展開させることができる。このように３段階の展開で、所望の展開特性を容易に実現できる。
【００５６】
請求項２記載のエアバッグによれば、請求項１記載の効果に加え、案内折畳部は、ガスが導入される一端部から他端部まで連通する通気位置を有し、この通気位置に長手方向に沿って連通し通気位置から放射状に延びる複数の腕部を設けて折り畳まれ、ロール折畳部は、通気位置に長手方向に沿って連通して折り畳まれたため、エアバッグにガスが導入されると、このガスは、案内折畳部の通気位置に沿って一端部から他端部まで供給され、さらに、この通気位置から、ロール折畳部に供給され、エアバッグの全体が膨張展開する。案内折畳部は、通気位置に長手方向に沿って腕部を設けたため、折り畳んだ状態でも通気位置を確保できる。そこで、一端部から他端部までの長手寸法の大きい長尺のエアバッグであっても、長手方向の前後での展開の時間差が小さく円滑に展開できる。
【００５７】
請求項３記載のエアバッグによれば、請求項１記載の効果に加え、案内折畳部は、ガス導入口に連通する膨張部を含んで折り畳まれ、ロール折畳部の一側に配置された第１の折畳部と、この第１の折畳部に位置する膨張部に連通する膨張部を含んで折り畳まれ、ロール折畳部の他側に配置された第２の折畳部とを備え、ロール折畳部は、第２の折畳部に連通して折り畳まれたため、ガス導入口からエアバッグにガスが導入されると、第１の折畳部、第２の折畳部、ロール折畳部の順に展開し、順次展開する第１の折畳部及び第２の折畳部により案内して、ロール折畳部を所望の方向に展開できる。
【００５８】
請求項４記載のエアバッグによれば、請求項１ないし３いずれか一記載の効果に加え、膨張部は、第１の膨張部と、第２の膨張部と、これら第１及び第２の膨張部を連通する連通部とを備えたため、長手寸法が大きい構成についても、所定面に沿った複数の部分をエアバッグで安定して迅速に覆うことができる。
【００５９】
請求項５記載のエアバッグによれば、請求項１ないし４いずれか一記載の効果に加え、折り畳んだ状態で車両のルーフサイド部に配置され、所定面は、車室の側面であるため、エアバッグを車室の側面と車室の乗員との間に安定して円滑に展開させることができる。
【図面の簡単な説明】
【図１】
本発明のエアバッグの一実施の形態を示す車両に取り付けた状態の説明図である。
【図２】
同上エアバッグの側面図である。
【図３】
同上エアバッグの展開過程を示す説明図である。
【図４】
同上エアバッグの展開過程を示す図３に続く説明図である。
【図５】
本発明のエアバッグの他の実施の形態を示す車両に取り付けた状態の説明図である。
【図６】
同上エアバッグの展開過程を示す説明図である。
【図７】
同上エアバッグの展開過程を示す図６に続く説明図である。
【符号の説明】
１    エアバッグ
３    車両としての自動車
４    車室
５    ルーフサイド部
６    所定面を構成する窓部
３８    膨張部
３９    一端部としてのガス導入口
４３    連通部
４４    第１の膨張部としての前席膨張室
４５    第２の膨張部としての後席膨張室
６５    案内折畳部
６６    ロール折畳部
６６ａ    内ロール部
６６ｂ    外ロール部
６７    他端部としての前端部
６８    腕部
１０１    第１の折畳部
１０２    第２の折畳部
Ｂ    通気位置
【図１】
2004175247.tif 000003
【図２】
2004175247.tif 000004
【図３】
2004175247.tif 000005
【図４】
2004175247.tif 000006
【図５】
2004175247.tif 000007
【図６】
2004175247.tif 000008
【図７】
2004175247.tif 000009